(57)【要約】【課題】木質の床版を利用して跳ね出し部を形成することができる積層床版を提供する。【解決手段】積層床版１０は、第１方向に架設され、両端部が柱１６に支持された木質の第１床版２８と、第１床版２８の上部に積層配置され、第１方向と直交する第２方向に跳ね出す第２床版３０と、第１床版２８と第２床版３０とを接合する接合手段と、を有する。【選択図】図２
2019027021.tif 000002
【特許請求の範囲】
【請求項１】
第１方向に架設され、両端部が柱、梁、又は壁に支持された木質の第１床版と、
前記第１床版の上部又は下部に積層配置され、前記第１方向と直交する第２方向に跳ね出す第２床版と、
前記第１床版と前記第２床版とを接合する接合手段と、
を有する積層床版。
【請求項２】
前記第２床版は木質とされている、請求項１に記載の積層床版。
【請求項３】
前記第１床版及び前記第２床版の少なくとも一方の接合面とは反対側の面には、木質の防火被覆材が設けられている、請求項２に記載の積層床版。
【発明の詳細な説明】
【技術分野】
【０００１】
本発明は、積層床版に関する。
【背景技術】
【０００２】
バルコニーや外廊下等の跳ね出し部を有する建物が知られている。例えば特許文献１には、コンクリート造の床部によって跳ね出し部が形成された建物が開示されている。
【先行技術文献】
【特許文献】
【０００３】
【特許文献１】特開平７−２１７１９９号公報
【発明の概要】
【発明が解決しようとする課題】
【０００４】
ここで近年、意匠性や軽量化の観点から、木質の床版を利用して建物の床を構築することが望まれている。しかし、木質の床版はコンクリート造の床版と比較して耐力が小さいため、木質の床版を利用して跳ね出し部を形成することは困難であった。
【０００５】
本発明は上記事実に鑑み、木質の床版を利用して跳ね出し部を形成することができる積層床版を提供することを目的とする。
【課題を解決するための手段】
【０００６】
請求項１に記載の積層床版は、第１方向に架設され、両端部が柱、梁、又は壁に支持された木質の第１床版と、前記第１床版の上部又は下部に積層配置され、前記第１方向と直交する第２方向に跳ね出す第２床版と、前記第１床版と前記第２床版とを接合する接合手段と、を有する。
【０００７】
上記構成によれば、両端部が支持された木質の第１床版が第１方向に架設され、第１床版に積層されて接合された第２床版が第１方向と直交する第２方向に跳ね出している。このため、積層床版に生じる第１方向の応力を第１床版で負担しつつ、第２方向の応力を第２床版で負担することができ、木質の第１床版を利用して第２床版によって跳ね出し部を形成することができる。
【０００８】
請求項２に記載の積層床版は、請求項１に記載の積層床版であって、前記第２床版は木質とされている。
【０００９】
上記構成によれば、第２床版が木質とされているため、木質の積層床版によって跳ね出し部を形成することができる。
【００１０】
請求項３に記載の積層床版は、請求項２に記載の積層床版であって、前記第１床版及び前記第２床版の少なくとも一方の接合面とは反対側の面には、木質の防火被覆材が設けられている。
【００１１】
上記構成によれば、第１床版及び第２床版の少なくとも一方の接合面とは反対側の面に防火被覆材を設けることで、積層床版を防火構造とすることができる。また、防火被覆材を木質とすることで、積層床版全体を木質で統一することができる。
【発明の効果】
【００１２】
本発明によれば、木質の床版を利用して跳ね出し部を形成することができる。
【図面の簡単な説明】
【００１３】
【図１】実施形態の一例における積層床版を示す平面図である。
【図２】図１におけるＡ−Ａ線断面図である。
【図３】図１におけるＢ−Ｂ線断面図である。
【発明を実施するための形態】
【００１４】
以下、本発明の実施形態の一例における積層床版について、図１〜図３を用いて説明する。なお、各図中において、積層床版が架渡される方向を第１方向とし、第１方向に直交する方向を第２方向とする。
【００１５】
＜構造＞
図１に示すように、本実施形態の積層床版１０は、他の複数の床版１２とともに建物の床１４を構成しており、床１４は、第２方向へ延びる複数の壁１６及び梁１７、第１方向へ延びる複数の壁柱１８、及び壁柱１８間を第２方向へ延びる間仕切壁２０によって支持されている。
【００１６】
また、床１４は、第１方向へ跳ね出す第１跳ね出し部２２と、第１方向に直交する第２方向へ跳ね出す第２跳ね出し部２４とを有しており、第１跳ね出し部２２と第２跳ね出し部２４とが重なる隅部に第１方向及び第２方向の２方向に跳ね出す２方向跳ね出し部２６が形成されている。
【００１７】
本実施形態の積層床版１０は、床１４の第２方向における端部、すなわち第２跳ね出し部２４が形成されている部分にそれぞれ配置されている。また、図２及び図３に示すように、積層床版１０は、第１床版２８と、第１床版２８の上部に積層された第２床版３０とを有している。
【００１８】
第１床版２８は、例えば複数のラミナ材３２を木質繊維３２Ａの繊維方向が直交するように重ね合わせて接着した木質の直交集成材（ＣＬＴ、Ｃｒｏｓｓ  Ｌａｍｉｎａｔｅｄ  Ｔｉｍｂｅｒ）で構成されている。
【００１９】
本実施形態では、一例として、第１床版２８（直交集成材）は三層構造とされており、厚み方向における最外層の木質繊維３２Ａの繊維方向が長辺方向（第１方向）に沿っており、中間層の木質繊維３２Ａの繊維方向が短辺方向（第２方向）に沿っている。
【００２０】
また、図３に示すように、第１床版２８は第１方向に架設されて両端部が壁１６又は梁１７に支持されており、これにより、第１床版２８は、壁１６又は梁１７への架渡し方向が強軸方向とされ、架渡し方向に直交する方向が弱軸方向とされている。
【００２１】
第２床版３０は、例えば単層の無垢材等の構造用木材で構成されており、図２に示すように、先端側（図２における右側）が壁１６に対して第２方向に跳ね出すことで第２跳ね出し部２４を構成している。
【００２２】
一方、第２床版３０の基端側（図２における左側）の下面は、接着剤によって第１床版２８の上面に接着されている。なお、第１床版２８の上面（接合面）と第２床版３０の下面（接合面）とを接合する接合手段としては、接着剤による接着の他、釘、ビス、ピン、又はボルトによる接合等が挙げられる。
【００２３】
また、第１床版２８の先端側（図２における右側）には、第２床版３０の第２跳ね出し部２４の下面に沿って第２方向へ延びる延長床版３６が設けられている。延長床版３６は、第１床版２８と同様に直交集成材で構成されており、第１床版２８と一体形成されている。なお、第１床版２８の先端側に延長床版３６が設けられていなくてもよく、延長床版３６が第１床版２８とは別部材とされていてもよい。
【００２４】
また、延長床版３６は何ら荷重を負担しておらず、積層床版１０は第２床版３０のみで延長床版３６の荷重、及び積層床版１０の第２方向に生じる応力を負担できるように設計されている。一方、第１床版２８は、積層床版１０の第１方向に生じる応力、及び第２跳ね出し部２４の反力を負担できるように設計されている。
【００２５】
さらに、第２床版３０の上部には、防火被覆材３８が積層されている。防火被覆材３８は、例えば厚さが４０ｍｍ以上とされた木材であり、第２床版３０の上面全体を被覆している。なお、防火被覆材３８は、第２床版３０の上面ではなく第１床版２８の下面や、第１床版２８と第２床版３０との間に設けられていてもよく、第２床版３０の上面及び第１床版２８の下面にそれぞれ設けられていてもよい。また、耐火規定に従い、防火被覆材３８を設けない構成とすることも可能である。
【００２６】
床１４の積層床版１０以外の床版１２は、図２に示すように、複数のラミナ材４０を重ね合わせて接着した直交集成材で構成されており、積層床版１０と同様に、上面に防火被覆材４２が積層されている。また、隣合う床版１２と積層床版１０とは、互いにスプライン接合されており、必要に応じて図示しない接合金物で緊結されている。
【００２７】
また、床版１２は、ラミナ材４０の厚さが積層床版１０の第１床版２８のラミナ材３２の厚さより厚くなっている。具体的には、床版１２の厚さは積層床版１０の厚さ、すなわち第１床版２８の厚さと第２床版３０の厚さとの和と等しくされており、これにより、積層床版１０の上面と床版１２の上面とが同一面とされている。
【００２８】
＜作用及び効果＞
本実施形態によれば、積層床版１０の第１床版２８が木質とされているため、木質の第１床版２８を利用して第２跳ね出し部２４を形成することができる。さらに、積層床版１０の第２床版３０も木質とされているため、第２跳ね出し部２４を木質とすることができ、コンクリート造の床版によって建物の床１４を形成する構成と比較して、床１４の意匠性を高めることができるとともに、床１４を軽量化することができる。
【００２９】
ここで、本実施形態の積層床版１０は、壁１６又は梁１７への架渡し方向である第１方向、及び跳ね出し方向である第２方向の２方向に応力が生じることによって、２方向応力状態とされている。しかしながら、本実施形態の積層床版１０によれば、第１方向が強軸方向とされた直交集成材によって第１床版２８が構成されており、第２方向に跳ね出す第２床版３０が第１床版２８に積層されて接合されている。
【００３０】
このため、積層床版１０に生じる第１方向の応力を第１床版２８で負担するとともに、第２方向の応力を第２床版３０で負担することができ、コンクリート造の床版より耐力の小さい木質の床版によって第２跳ね出し部２４を形成することが可能となる。
【００３１】
また、本実施形態によれば、積層床版１０の第２床版３０の上面に、防火被覆材３８が設けられているため、積層床版１０を防火構造とすることができる。さらに、防火被覆材３８が木材で構成されているため、積層床版１０全体を木質で統一することができ、意匠性を高めることができる。
【００３２】
＜その他の実施形態＞
以上、本発明について実施形態の一例を説明したが、本発明はかかる実施形態に限定されるものではなく、本発明の範囲内にて他の種々の実施形態が可能である。
【００３３】
例えば、上記実施形態では、積層床版１０の第１床版２８が三層構造の直交集成材で構成されていたが、直交集成材は二層構造であってもよく、四層以上の層で構成されていてもよい。また、必要とされる耐力が確保できる場合、第１床版２８は直交集成材ではなく単板の繊維方向を揃えて積層して接着した単板積層材（ＬＶＬ（Ｌａｍｉｎａｔｅｄ  Ｖｅｎｅｅｒ  Ｌｕｍｂｅｒ））で構成されていてもよく、単層の無垢材で構成されていてもよい。
【００３４】
一方、上記実施形態では、積層床版１０の第２床版３０が単層の無垢材等の構造用木材で構成されていたが、直交集成材で構成されていてもよい。さらに、第２床版３０は鋼板やコンクリートで構成されていてもよく、軽量気泡コンクリート（ＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ））で構成されていてもよい。
【００３５】
同様に、防火被覆材３８はコンクリートやモルタルで構成されていてもよい。なお、第２床版３０が軽量気泡コンクリート等の防火材料で構成されている場合、第２床版３０が防火被覆材を兼ねることができるため、防火被覆材３８は設けられていなくてもよい。
【００３６】
また、上記実施形態の積層床版１０では、第１床版２８の上部に第２床版３０が積層配置されていたが、第２床版３０の上部に第１床版２８が積層配置されていてもよい。さらに、第１床版２８は壁１６又は梁１７に両端部が支持されていたが、壁柱１８や間仕切壁２０に支持されていてもよい。
【符号の説明】
【００３７】
１０          積層床版
１６          壁
１７          梁
２８          第１床版
３０          第２床版
３８          防火被覆材
【図１】
2019027021.tif 000003
【図２】
2019027021.tif 000004
【図３】
2019027021.tif 000005